(57)【要約】【課題】サーマルプリンタにおいて、画像ムラを抑制しつつ画像の高濃度部分の再現性を向上できるようにする。【解決手段】サーマルプリンタ１０は、主走査方向Ｄ３に配置されたサーマルヘッド１１と、記録紙ＰＰの搬送動作を制御する制御部２０とを備え、記録紙ＰＰを順方向Ｄ１に搬送しつつ画像を記録紙ＰＰに主走査方向Ｄ３の１ラインずつ印刷する。制御部２０は、画像データに基づいて、主走査方向Ｄ３の複数のラインの中から、所定の基準速度よりも低速で記録紙ＰＰを搬送する低速印刷ライン、及び印刷時における記録紙ＰＰの搬送速度を変更可能な速度変更可能ラインを設定し、低速印刷ラインでは記録紙ＰＰを低速で搬送させ、搬送速度を変更する場合は速度変更可能ラインで変更させ、速度変更可能ライン以外のラインでは搬送速度を変更させない。【選択図】図１
2018008376.tif 000002
【特許請求の範囲】
【請求項１】
主走査方向に沿って配列された複数の発熱素子を有するサーマルヘッドと、前記主走査方向に直交する副走査方向に印刷媒体を搬送する搬送部と、前記搬送部の動作を制御する制御部とを備え、画像データに応じて各発熱素子を発熱させ、印刷媒体を前記副走査方向に搬送しつつ画像を印刷媒体に前記主走査方向の１ラインずつ印刷するサーマルプリンタであって、
前記制御部は、画像データに基づいて、前記主走査方向の複数のラインの中から、所定の基準速度よりも低速で印刷媒体を搬送する低速印刷ライン、及び印刷時における印刷媒体の搬送速度を変更可能な速度変更可能ラインを設定し、前記低速印刷ラインでは印刷媒体を前記基準速度よりも低速で搬送させ、前記搬送速度を変更する場合は前記速度変更可能ラインで変更させ、前記速度変更可能ライン以外のラインでは前記搬送速度を変更させないように前記搬送部を制御する、サーマルプリンタ。
【請求項２】
前記制御部は、画像データに基づいて各画素の濃度を抽出し、所定の第１基準値を超える濃度を有する画素を含むラインを、前記低速印刷ラインに設定する、請求項１に記載のサーマルプリンタ。
【請求項３】
前記制御部は、前記第１基準値を超える濃度を有する複数の画素を含むラインを、前記低速印刷ラインに設定する、請求項１に記載のサーマルプリンタ。
【請求項４】
前記制御部は、前記第１基準値を超える濃度を有する複数の画素であって連続する画素を含むラインを、前記低速印刷ラインに設定する、請求項１に記載のサーマルプリンタ。
【請求項５】
前記制御部は、画像データに基づいて各画素の濃度を抽出し、前記第１基準値よりも低い第２基準値を超える濃度を有する画素を含まないラインを、前記速度変更可能ラインに設定する、請求項２から４の何れかに記載のサーマルプリンタ。
【請求項６】
互いに異なる複数色の画像を重ねて印刷することでカラー画像を形成する、請求項１から５の何れかに記載のサーマルプリンタ。
【請求項７】
前記制御部は、所定の第１基準値を超える濃度を有する画素を含まないラインであって、注目画素の注目色の濃度の、前記注目色以外の色のそれぞれの濃度に対する比率の中に、所定の閾値以下のものが少なくとも１つある画素のみで構成されるラインを、前記注目色における前記速度変更可能ラインに設定する、請求項６に記載のサーマルプリンタ。
【請求項８】
前記閾値は、前記注目色に応じて互いに異なる、請求項７に記載のサーマルプリンタ。
【請求項９】
前記制御部は、文字又はベクターデータ画像を含むラインを、前記低速印刷ラインに設定する、請求項１に記載のサーマルプリンタ。
【請求項１０】
前記制御部は、互いに最も近い２本の前記速度変更可能ラインで挟まれた間領域に、前記低速印刷ラインが含まれている場合、前記間領域の印刷媒体の前記搬送速度を低速に設定する、請求項１から９の何れかに記載のサーマルプリンタ。
【請求項１１】
前記制御部は、互いに最も近い２本の前記速度変更可能ラインで挟まれた間領域に、前記低速印刷ラインが含まれていない場合、前記間領域の印刷媒体の前記搬送速度を前記基準速度に設定する、請求項１から１０の何れかに記載のサーマルプリンタ。
【請求項１２】
前記制御部は、印刷開始ラインが前記低速印刷ラインに設定されている場合、印刷開始時の印刷媒体の前記搬送速度を低速に設定する、請求項１から１１の何れかに記載のサーマルプリンタ。
【請求項１３】
前記制御部は、印刷開始ラインが前記速度変更可能ラインに設定されている場合、印刷開始時の印刷媒体の前記搬送速度を前記基準速度に設定する、請求項１から１２の何れかに記載のサーマルプリンタ。
【請求項１４】
前記制御部は、前記画像データに基づいて、印刷すべき画像の中から、前記低速印刷ラインのみで構成される低速印刷領域、及び前記速度変更可能ラインのみで構成される速度変更可能領域を設定し、印刷開始ラインを含み前記印刷開始ラインと同種の速度設定のラインのみで構成される印刷開始領域が前記低速印刷領域及び前記速度変更可能領域の何れでもなく、かつ、前記印刷開始領域に印刷時の印刷媒体の搬送方向における上流側に隣接する領域が前記低速印刷領域である場合、印刷開始時の印刷媒体の前記搬送速度を低速に設定する、請求項１から１３の何れかに記載のサーマルプリンタ。
【請求項１５】
主走査方向に沿って配列された複数の発熱素子を有するサーマルヘッドを用いて画像データに応じて各発熱素子を発熱させ、前記主走査方向に直交する副走査方向に印刷媒体を搬送しつつ、画像を印刷媒体に前記主走査方向の１ラインずつ印刷する印刷制御方法であって、
画像データに基づいて、前記主走査方向の複数のラインの中から、所定の基準速度よりも低速で印刷媒体を搬送する低速印刷ライン、及び印刷時における印刷媒体の搬送速度を変更可能な速度変更可能ラインを設定するライン設定ステップと、
前記低速印刷ラインでは印刷媒体を前記基準速度よりも低速で搬送させ、前記搬送速度を変更する場合は前記速度変更可能ラインで変更させ、前記速度変更可能ライン以外のラインでは前記搬送速度を変更させない、速度調整ステップと、を備える、印刷制御方法。
【発明の詳細な説明】
【技術分野】
【０００１】
この発明は、サーマルヘッドが発する熱によって印刷媒体に画像を印刷するサーマルプリンタ、及び印刷制御方法に関する。
【背景技術】
【０００２】
サーマルプリンタは、主走査方向に沿って配列された複数の発熱素子を有するサーマルヘッドを備え、印刷媒体を搬送しつつ画像データに応じて発熱素子を発熱させることで、印刷媒体に主走査方向の１ラインずつ画像を印刷する。このようなサーマルプリンタの中には、サーマルヘッドに圧着させるように印刷媒体及びインクリボンを搬送し、サーマルヘッドによって与えられるインクリボンの単位面積当たりの熱量を制御することで、画像の濃度を調整するように構成されたものがある。
【０００３】
例えば、高濃度なほど低速となるように印刷媒体及びインクリボンの搬送速度を変更する昇華型のサーマルプリンタが知られている（例えば、特許文献１参照。）。この従来のサーマルプリンタでは、印刷媒体及びインクリボンの搬送速度を低速にすることで、サーマルヘッドによって与えられる１画素当たりの熱量が、高速の場合よりも大きくなり、濃度が高くなる。
【先行技術文献】
【特許文献】
【０００４】
【特許文献１】特開２００６−５１６９３号公報
【発明の概要】
【発明が解決しようとする課題】
【０００５】
しかし、特許文献１には、搬送速度の変更をどのような箇所で行うかについての具体的な記載がないので、従来のサーマルプリンタでは、搬送速度の変更箇所において、画像ムラが生じる虞がある。
【０００６】
この発明の目的は、画像ムラを抑制しつつ画像の高濃度部分の再現性を向上できるサーマルプリンタ及び印刷制御方法を提供することにある。
【課題を解決するための手段】
【０００７】
この発明のサーマルプリンタは、主走査方向に沿って配列された複数の発熱素子を有するサーマルヘッドと、主走査方向に直交する副走査方向に印刷媒体を搬送する搬送部と、搬送部の動作を制御する制御部とを備え、画像データに応じて各発熱素子を発熱させ、印刷媒体を副走査方向に搬送しつつ画像を印刷媒体に主走査方向の１ラインずつ印刷する。制御部は、画像データに基づいて、主走査方向の複数のラインの中から、所定の基準速度よりも低速で印刷媒体を搬送する低速印刷ライン、及び印刷時における印刷媒体の搬送速度を変更可能な速度変更可能ラインを設定し、低速印刷ラインでは印刷媒体を基準速度よりも低速で搬送させ、搬送速度を変更する場合は速度変更可能ラインで変更させ、速度変更可能ライン以外のラインでは搬送速度を変更させないように搬送部を制御する。
【０００８】
この構成では、低速印刷ラインでは、印刷媒体が低速で搬送されることで、サーマルヘッドによって与えられる１画素当たりの熱量が、基準速度の場合よりも大きくなり、より高濃度の画像を印刷できるようになる。また、印刷時における基準速度と低速との切り替えは、画像データに基づいて設定された速度変更可能ラインにおいて行われ、その他のラインでは行われないので、速度変更時に生じ得る画像ムラを目立ちにくくすることが可能となる。
【０００９】
上述の構成において、制御部は、画像データに基づいて各画素の濃度を抽出し、所定の第１基準値を超える濃度を有する画素を含むラインを、低速印刷ラインに設定するように構成することができる。この構成では、第１基準値を超える高濃度の画素を含むラインは、印刷媒体が低速で搬送されつつ印刷されるので、画像の高濃度部分の再現性が向上する。
【００１０】
また、制御部は、所定の第１基準値を超える濃度を有する複数の画素を含むラインを、低速印刷ラインに設定するように構成することができる。この構成では、ライン中に複数の高濃度画素があり、高濃度画素が視認されやすい場合に、低速で印刷される。このため、高濃度部分が視認されやすい場合に、高濃度部分の再現性が向上する。
【００１１】
さらに、制御部は、所定の第１基準値を超える濃度を有する複数の画素であって連続する画素を含むラインを、低速印刷ラインに設定するように構成することができる。この構成では、ライン中に、より視認されやすい大きさの高濃度部分がある場合に、低速で印刷される。このため、高濃度部分が視認されやすい大きさである場合に、高濃度部分の再現性が向上する。
【００１２】
また、制御部は、画像データに基づいて各画素の濃度を抽出し、第１基準値よりも低い第２基準値を超える濃度を有する画素を含まないラインを、速度変更可能ラインに設定するように構成することができる。この構成では、低濃度画素のみを含むラインにおいて、印刷媒体の搬送速度が変更される。このため、速度変更箇所において画像ムラが生じたとしても目立たず、画質低下が抑制される。
【００１３】
さらに、互いに異なる複数色の画像を重ねて印刷することでカラー画像を形成するサーマルプリンタに、本発明を適用することもできる。この構成では、各色の印刷において低速印刷ライン及び速度変更可能ラインが設定され、各色において、画像の高濃度部分の再現性が向上するとともに、画像ムラが抑制される。
【００１４】
また、制御部は、所定の第１基準値を超える濃度を有する画素を含まないラインであって、注目画素の注目色の濃度の、注目色以外の色のそれぞれの濃度に対する比率の中に、所定の閾値以下のものが少なくとも１つある画素のみで構成されるラインを、注目色における速度変更可能ラインに設定するように構成することができる。この構成では、他の色に対して低濃度である画素のみを含むラインが注目色における速度変更可能ラインに設定されるので、速度変更箇所において画像ムラが生じた色がある場合でも、より高濃度な他の色が重ねられることで、注目色で生じた画像ムラが目立たなくなる。
【００１５】
さらに、閾値は、注目色に応じて互いに異なるように構成することができる。この構成では、各色の目立ちやすさ等に応じて閾値を設定することができる。例えば、目立ちにくい色では閾値を大きくし、目立ちやすい色では閾値を小さくすることで、画像ムラがより抑制される。
【００１６】
また、制御部は、文字又はベクターデータ画像を含むラインを、低速印刷ラインに設定するように構成することができる。この構成では、文字及び細線などをより高濃度で印刷可能にすることで、文字及び細線などの画像の再現性が向上する。
【００１７】
さらに、制御部は、互いに最も近い２本の速度変更可能ラインで挟まれた間領域に、低速印刷ラインが含まれている場合、間領域の印刷媒体の搬送速度を低速に設定するように構成することができる。この構成では、印刷時の搬送方向の下流側の速度変更可能ラインにおいて低速に変更しておき、間領域では速度変更しないことで、画像ムラが生じた場合でも画像ムラを目立たなくすることができる。
【００１８】
また、制御部は、互いに最も近い２本の速度変更可能ラインで挟まれた間領域に、低速印刷ラインが含まれていない場合、間領域の印刷媒体の搬送速度を基準速度に設定するように構成することができる。この構成では、高濃度で印刷する必要がない領域は基準速度で印刷することで、より高速に印刷することができる。
【００１９】
さらに、制御部は、印刷開始ラインが低速印刷ラインに設定されている場合、印刷開始時の印刷媒体の搬送速度を低速に設定するように構成することができる。この構成では、低速印刷ラインにおいて速度変更する必要がないので、速度変更による画像ムラが生じない。
【００２０】
また、制御部は、印刷開始ラインが速度変更可能ラインに設定されている場合、印刷開始時の印刷媒体の搬送速度を基準速度に設定するように構成することができる。この構成では、印刷時の搬送方向において速度変更可能ラインの上流側に低速印刷ラインがある場合は速度変更可能ラインにおいて速度変更できるので、印刷開始時は基準速度で搬送開始しても画像ムラを抑制できる。また、基準速度で搬送開始することで、より高速に印刷できる。
【００２１】
さらに、制御部は、抽出結果に基づいて、印刷すべき画像の中から、低速印刷ラインのみで構成される低速印刷領域、及び速度変更可能ラインのみで構成される速度変更可能領域を設定し、印刷開始ラインを含み印刷開始ラインと同種の速度設定のラインのみで構成される印刷開始領域が低速印刷領域及び速度変更可能領域の何れでもなく、かつ、印刷開始領域に印刷時の印刷媒体の搬送方向における上流側に隣接する領域が低速印刷領域である場合、印刷開始時の印刷媒体の搬送速度を低速に設定するように構成することができる。この構成では、印刷開始ラインから低速印刷ラインまでの間に速度変更可能ラインが無いので、印刷開始時から低速で印刷媒体を搬送することで、速度変更可能ライン以外のラインで速度変更する必要がなくなる。
【００２２】
この発明の印刷制御方法は、主走査方向に沿って配列された複数の発熱素子を有するサーマルヘッドを用いて画像データに応じて各発熱素子を発熱させ、主走査方向に直交する副走査方向に印刷媒体を搬送しつつ、画像を印刷媒体に主走査方向の１ラインずつ印刷する。印刷制御方法は、画像データに基づいて、主走査方向の複数のラインの中から、所定の基準速度よりも低速で印刷媒体を搬送する低速印刷ライン、及び印刷時における印刷媒体の搬送速度を変更可能な速度変更可能ラインを設定するライン設定ステップと、低速印刷ラインでは印刷媒体を基準速度よりも低速で搬送させ、搬送速度を変更する場合は速度変更可能ラインで変更させ、速度変更可能ライン以外のラインでは搬送速度を変更させない、速度調整ステップと、を備える。
【発明の効果】
【００２３】
この発明によれば、サーマルプリンタにおいて、画像ムラを抑制しつつ画像の高濃度部分の再現性を向上させることができる。
【図面の簡単な説明】
【００２４】
【図１】この発明の第１実施形態に係るサーマルプリンタの概略の構成を示す断面図である。
【図２】サーマルプリンタに用いられるインクリボンの構成図である。
【図３】制御部の処理手順を示すフローチャートである。
【図４】印刷処理の手順を示すフローチャートである。
【図５】印刷媒体とサーマルヘッドとの位置関係を示す図である。
【図６】主走査方向のライン毎の印刷速度を設定する処理手順を示すフローチャートである。
【図７】原稿と印刷速度設定との関係を示す図であり、（Ａ）は原稿を示し、（Ｂ）は領域毎の印刷速度設定を示す。
【図８】印刷開始時の印刷媒体の搬送速度を決定する処理手順を示すフローチャートである。
【図９】印刷速度設定の一例を示す図である。
【図１０】第５実施形態に係るカラーのサーマルプリンタに用いられるインクリボンの構成図である。
【図１１】第５実施形態に係るサーマルプリンタの制御部の処理手順を示すフローチャートである。
【図１２】第５実施形態に係るサーマルプリンタにおける印刷処理の手順を示すフローチャートである。
【図１３】第６実施形態に係るサーマルプリンタにおける主走査方向のライン毎の印刷速度を設定する処理手順を示すフローチャートである。
【発明を実施するための形態】
【００２５】
［第１実施形態］
図１に示すように、第１実施形態に係るサーマルプリンタ１０は、サーマルヘッド１１、記録紙ロール１２、駆動ローラ１３、搬送ローラ１４、供給ロール１５、巻取りロール１６、カッタ１７、搬送ガイド１８，１９、及び制御部２０を備える。一例として、サーマルプリンタ１０は、昇華型プリンタである。制御部２０は、サーマルプリンタ１０の各部機器を統括的に制御する。
【００２６】
記録紙ロール１２は、回転軸１２１を中心にして印刷媒体である記録紙ＰＰがロール状に巻き取られたものである。回転軸１２１は、記録紙ＰＰの供給時には記録紙ＰＰの印刷時の搬送方向である順方向Ｄ１に回転自在であり、記録紙ＰＰの巻取り時には順方向Ｄ１の反対方向である逆方向Ｄ２に駆動可能に構成される。順方向Ｄ１及び逆方向Ｄ２は、副走査方向に相当する。
【００２７】
記録紙ＰＰは、搬送ローラ１４及び駆動ローラ１３に架け渡された後、搬送ガイド１８，１９に案内されて、外部へ排出される。搬送ガイド１８と搬送ガイド１９との間に、カッタ１７が配置される。カッタ１７は、記録紙ＰＰの全幅を切断可能に構成される。
【００２８】
駆動ローラ１３は、順方向Ｄ１に駆動可能であり、記録紙ロール１２による記録紙ＰＰの巻取り時には、記録紙ＰＰの逆方向Ｄ２に回転自在に構成される。搬送ローラ１４は、順方向Ｄ１及び逆方向Ｄ２の両方向に回転自在に構成される。
【００２９】
駆動ローラ１３は、サーマルヘッド１１に圧着している。駆動ローラ１３が順方向Ｄ１に駆動することで、記録紙ＰＰが順方向Ｄ１に搬送される。一方、記録紙ロール１２が逆方向Ｄ２に駆動することで、記録紙ＰＰが逆方向Ｄ２に搬送される。印刷時の記録紙ＰＰの搬送速度は、所定の基準速度と、基準速度よりも遅い所定の低速との２段階に切り換えられる。なお、印刷時の記録紙ＰＰの搬送速度は、画像データに応じて、基準速度と複数段階の低速との３段階以上に切り換えるように構成することもできる。記録紙ロール１２及び駆動ローラ１３は、副走査方向に記録紙ＰＰを搬送する搬送部を構成する。
【００３０】
サーマルヘッド１１は、１列に配置された複数の発熱素子を有するラインサーマルヘッドである。発熱素子は、副走査方向に直交する方向である主走査方向Ｄ３に沿って、高密度に配列される。主走査方向Ｄ３は、記録紙ＰＰの幅方向に平行である。
【００３１】
供給ロール１５は、インクリボンＲ１がロール状に巻き取られたものであり、主に未使用状態のインクリボンＲ１が巻き取られている。巻取りロール１６は、印刷後のインクリボンＲ１がロール状に巻き取られるものである。供給ロール１５から供給されたインクリボンＲ１は、サーマルヘッド１１と駆動ローラ１３との間を経由して、巻取りロール１６に巻き取られる。なお、供給ロール１５から一旦供給されたインクリボンＲ１を、供給ロール１５で巻き取ることも可能である。
【００３２】
サーマルヘッド１１及びインクリボンＲ１は、使用が想定される記録紙ＰＰの最大幅を超える主走査方向Ｄ３の長さを有する。
【００３３】
図２に示すように、インクリボンＲ１は、ブラックＢＫのインクが塗布された領域と、オーバーコートＯＣの薬剤が塗布された領域とが、所定長さずつ交互に繰り返し配置されるように構成されている。一例として、インクリボンＲ１のブラックＢＫ及びオーバーコートＯＣのそれぞれの１面分は、Ｌ版２枚分の画像を印刷可能なサイズを有する。
【００３４】
サーマルプリンタ１０では、印刷時に、記録紙ＰＰとインクリボンＲ１とが重ねて同じ速度で順方向Ｄ１に搬送されるとともに、サーマルヘッド１１の発熱素子が画像データに応じて発熱することで、インクリボンＲ１のインクが昇華して記録紙ＰＰに付着し、画像が記録紙ＰＰに主走査方向Ｄ３の１ラインずつ印刷される。
【００３５】
サーマルプリンタ１０では、画像データの階調値に応じて設定されるパルス数の加熱パルスが、連続してサーマルヘッド１１へ出力される。サーマルヘッド１１の発熱素子は、加熱パルスの有無によって通電と非通電とに切り換えられ、加熱パルスが入力している間、通電されてインクリボンＲ１を加熱する。
【００３６】
記録紙ＰＰが１画素の幅分だけ搬送される間に、加熱パルスが何パルス入力するかに応じて、インクリボンＲ１から記録紙ＰＰへ転写されるインク量、即ちその画素の印刷濃度が変化する。
【００３７】
サーマルプリンタ１０では、記録紙ＰＰの搬送速度が基準速度か低速かによって、デューティー比は変えずに加熱パルスの出力周期を変化させる。これによって、１画素分の長さの搬送時間中に１つの加熱パルスが占める割合が、基準速度か低速かによって変化しないようにする。このため、記録紙ＰＰの搬送速度が低速の場合は、基準速度の場合に比べて、１つの加熱パルスによるサーマルヘッド１１の加熱素子の通電時間は、長くなる。通電時間が長くなることで、より高濃度の印刷が可能となる。
【００３８】
図３に示すように、制御部２０は、画像データが入力すると（Ｓ１）、インクリボンＲ１に使用されている色材の特性に応じた色変換処理を行った後（Ｓ２）、画像データに基づいて印刷速度設定を行う（Ｓ３）。印刷速度設定の詳細については後述する。
【００３９】
図４に示すように、印刷処理の際には、制御部２０は、１面分のブラックＢＫのインクによる印刷が終了すると（Ｓ１１）、記録紙ＰＰを印刷開始位置まで逆方向Ｄ２に巻き戻し（Ｓ１２）、次に、ブラックＢＫの画像に重ねるようにオーバーコートＯＣを印刷した後（Ｓ１３）、図５に示すように、カッタ１７によって画像先端を裁断し（Ｓ１４）、記録紙ＰＰを順方向Ｄ１に搬送して、さらに画像後端を裁断し（Ｓ１５）、記録紙ＰＰを排出する。
【００４０】
次に、印刷速度設定について説明する。
【００４１】
図６に示すように、制御部２０は、代数Ｎを初期化し（Ｓ２１）、代数Ｎに整数１を加算する（Ｓ２２）。制御部２０は、サーマルヘッド１１と平行な主走査方向Ｄ３のライン毎に、各画素の画素値即ち濃度を抽出する。
【００４２】
制御部２０は、副走査方向の最初に印刷される端部側からＮ番目のラインの画素値を抽出すると（Ｓ２３）、そのＮ番目のラインに含まれる画素の中に所定の第１基準値を超える画素値を有する画素があるか否かを判定し（Ｓ２４）、第１基準値を超える画素値を有する画素がある場合は、そのＮ番目のラインを低速印刷ラインに設定する（Ｓ２５）。
【００４３】
制御部２０は、Ｎ番目のラインが最終ラインであれば、設定中の色の印刷速度設定の処理を終了し、最終ラインでなければ、Ｓ２２に戻って（Ｓ２６）、次のラインの画素値を抽出する。
【００４４】
制御部２０は、Ｓ２４において、Ｎ番目のラインに含まれる画素の中に第１基準値を超える画素が無い場合、Ｎ番目のラインに含まれる画素の中に、第１基準値よりも低い所定の第２基準値を超える画素値を有する画素があるか否かを判定する（Ｓ２７）。制御部２０は、Ｎ番目のラインに含まれる画素の中に、第２基準値を超える画素値を有する画素が無い場合、そのＮ番目のラインを速度変更ラインに設定する（Ｓ２８）。
【００４５】
制御部２０は、Ｎ番目のラインが最終ラインであれば、設定中の色の印刷速度設定の処理を終了し、最終ラインでなければ、Ｓ２２に戻って（Ｓ２９）、次のラインの画素値を抽出する。
【００４６】
例えば、図７（Ａ）に示すような原稿において、第１基準値を超える画素値を有する画素が１個以上ある主走査方向Ｄ３のラインは、図７（Ｂ）に示すように、低速印刷ラインに設定される。また、第２基準値を超える画素値を有する画素が全く無いラインは、速度変更可能ラインに設定される。
【００４７】
以下の説明において、低速印刷ラインのみで構成される領域を低速印刷領域２１と称し、速度変更可能ラインで構成される領域を速度変更可能領域２２と称する。また、印刷時に最初に印刷される主走査方向Ｄ３のラインを印刷開始ラインと称し、印刷開始ラインを含み、印刷開始ラインと同種の速度設定のラインのみで構成される領域を印刷開始領域と称する。速度設定の種類には、低速印刷ライン、速度変更可能ライン、及び低速印刷ライン及び速度変更可能ラインのどちらでもないラインの３種類がある。
【００４８】
サーマルプリンタ１０では、低速印刷ラインでは、所定の基準速度よりも遅い所定の低速で記録紙ＰＰを搬送しながら印刷される。また、印刷時における記録紙ＰＰの搬送速度の切り換えを行う場合は、速度変更可能ラインにおいて行われる。
【００４９】
低速印刷領域２１では、記録紙ＰＰが低速で搬送されることで、サーマルヘッド１１によって与えられる１画素当たりの熱量が、基準速度の場合よりも大きくなり、より高濃度の画像を印刷できるようになる。このため、画像の高濃度部分の再現性が向上する。印刷時における基準速度と低速との切り替えは、速度変更可能領域２２において行われ、その他の領域では行われない。速度変更可能領域２２は、比較的、低濃度の画素のみを含むので、速度変更可能領域２２において速度変更され、速度変更箇所において画像ムラが生じたとしても目立たず、画質低下が抑制される。したがって、サーマルプリンタ１０において、画像ムラを抑制しつつ画像の高濃度部分の再現性を向上させることができる。
【００５０】
図８に示すように、制御部２０は、印刷開始領域が低速印刷領域２１である場合は（Ｓ３１）、印刷開始時の記録紙ＰＰの搬送速度を低速に設定する（Ｓ３２）。低速印刷領域２１において速度変更する必要がないので、速度変更による画像ムラが生じない。
【００５１】
また、制御部２０は、印刷開始領域が速度変更可能領域２２である場合は（Ｓ３３）、印刷開始時の記録紙ＰＰの搬送速度を基準速度に設定する（Ｓ３４）。基準速度で搬送開始することで、より高速に印刷でき、全体的な印刷時間の短縮化を図ることができる。
【００５２】
制御部２０は、印刷開始領域が低速印刷領域２１及び速度変更可能領域２２の何れでもなく、かつ、印刷開始領域に印刷時の記録紙ＰＰの搬送方向（順方向Ｄ１）における上流側に隣接する領域が低速印刷領域２１である場合（Ｓ３５）、印刷開始時の記録紙ＰＰの搬送速度を低速に設定する。印刷開始領域から低速印刷領域２１までの間に速度変更可能領域２２が無いので、印刷開始時から低速で記録紙ＰＰを搬送することで、速度変更可能領域２２以外の領域で速度変更する必要がなくなる。
【００５３】
制御部２０は、印刷開始領域が低速印刷領域２１及び速度変更可能領域２２の何れでもなく、かつ、印刷開始領域に順方向Ｄ１における上流側に隣接する領域が低速印刷領域２１でない場合は、印刷開始時の記録紙ＰＰの搬送速度を基準速度に設定する。
【００５４】
図９に示すように、制御部２０は、互いに最も近い２本の速度変更可能領域２２Ａ，２２Ｂで挟まれた間領域Ｅ１に、少なくとも１個の低速印刷領域２１Ａ，２１Ｂが含まれている場合、間領域Ｅ１の搬送速度を低速に設定する。順方向Ｄ１の下流側の速度変更可能領域２２Ａにおいて低速に変更しておき、間領域Ｅ１では速度変更しないことで、画像ムラが生じた場合でも画像ムラを目立たなくすることができる。
【００５５】
また、制御部２０は、互いに最も近い２本の速度変更可能領域２２Ａ，２２Ｂで挟まれた間領域Ｅ１に、低速印刷領域２１Ａ，２１Ｂが全く含まれていない場合、間領域Ｅ１の搬送速度を基準速度に設定する。高濃度で印刷する必要がない領域は基準速度で印刷することで、より高速に印刷することができ、全体的な印刷時間の短縮化を図ることができる。
【００５６】
［第２実施形態］
図９に示すように、制御部２０は、間領域Ｅ１に低速印刷領域２１Ａ，２１Ｂが含まれているが、順方向Ｄ１において、間領域Ｅ１内の最も上流側の低速印刷領域２１Ｂの上流側端部から、低速印刷領域２１Ｂの上流側に最も近く位置する速度変更可能領域２２Ｂの下流側端部までの距離Ｌ１が、所定値Ｖ以上ある場合に、速度変更可能領域２２Ａ，２２Ｂで挟まれた間領域Ｅ１の搬送速度を低速に設定し、距離Ｌ１が所定値Ｖ未満である場合は、速度変更可能領域２２Ａから、速度変更可能領域２２Ｂの上流側に最も近く位置する速度変更可能領域２２Ｃまでの領域の搬送速度を低速に設定するように構成することもできる。一例として、所定値Ｖは、０．５ｍｍとする。
【００５７】
高濃度で印刷する低速印刷領域２１Ａ，２１Ｂが続いた場合は、サーマルヘッド１１の温度が高くなるので、サーマルヘッド１１の予測温度に基づいて印刷濃度を補正しても、搬送速度が基準速度である場合は低速印刷領域２１Ｂの上流側端部から所定値Ｖ程度の領域の濃度は不安定になりやすいのに対して、低速印刷領域２１Ｂの上流側端部から所定値Ｖの領域の搬送速度を低速にすることで、濃度の再現性を向上できる。
【００５８】
［第３実施形態］
制御部２０は、Ｓ２４及びＳ２５において、第１基準値を超える濃度を有する複数の画素を含むラインを、低速印刷ラインに設定するように構成することもできる。これによって、ライン中に複数の高濃度画素があり、高濃度画素が視認されやすい場合に、低速で印刷される。このため、高濃度部分が視認されやすい場合に、高濃度部分の再現性を向上できる。
【００５９】
［第４実施形態］
制御部２０は、Ｓ２４及びＳ２５において、第１基準値を超える濃度を有する複数の画素であって連続する画素を含むラインを、低速印刷ラインに設定するように構成することもできる。これによって、ライン中に、より視認されやすい大きさの高濃度部分がある場合に、低速で印刷される。このため、高濃度部分が視認されやすい大きさである場合に、高濃度部分の再現性を向上できる一方、視認されにくい大きさである場合は基準速度で印刷することで、より高速に印刷でき、全体的な印刷時間の短縮化を図ることができる。
【００６０】
［第５実施形態］
互いに異なる複数色の画像を重ねて印刷することでカラー画像を形成するサーマルプリンタ１０に、本発明を適用することもできる。
【００６１】
図１０に示すように、この実施形態に係るカラーのサーマルプリンタ１０では、インクリボンＲ１に代えて、互いに異なる複数色のインクが周期的に配置されたインクリボンＲ２が用いられる。具体的には、インクリボンＲ２は、イエローＹのインクが塗布された領域、マゼンタＭのインクが塗布された領域、シアンＣのインクが塗布された領域、及びオーバーコートＯＣの薬剤が塗布された領域が、順方向Ｄ１の下流側からこの順序で所定長さずつ配置され、イエローＹ，マゼンタＭ、シアンＣ及びオーバーコートＯＣの領域が繰り返し配置されるように構成されている。
【００６２】
図１１に示すように、制御部２０は、画像データが入力すると（Ｓ４１）、インクリボンＲ１に使用されている色材の特性に応じた色変換処理を行った後（Ｓ４２）、イエローの印刷速度設定（Ｓ４３）、マゼンタの印刷速度設定（Ｓ４４）、及びシアンの印刷速度設定（Ｓ４５）を行う。各色の印刷速度設定は、第１実施形態と同様にして行われる。
【００６３】
図１２に示すように、印刷処理の際には、制御部２０は、１面分のイエローＹのインクによる印刷が終了すると（Ｓ５１）、記録紙ＰＰを印刷開始位置まで逆方向Ｄ２に巻き戻し（Ｓ５２）、次にイエローＹの画像に重ねるようにマゼンタＭのインクによる印刷を行い（Ｓ５３）、１面分のマゼンタＭのインクによる印刷が終了すると、再び記録紙ＰＰを印刷開始位置まで逆方向Ｄ２に巻き戻し（Ｓ５４）、次にさらに重ねるようにしてシアンＣのインクによる印刷を行い（Ｓ５５）、１面分のシアンＣのインクによる印刷が終了すると、再び記録紙ＰＰを印刷開始位置まで逆方向Ｄ２に巻き戻し（Ｓ５６）、最後にさらに重ねるようにオーバーコートＯＣを印刷した後（Ｓ５７）、図５に示すように、カッタ１７によって画像先端を裁断し（Ｓ５８）、記録紙ＰＰを順方向Ｄ１に搬送して、さらに画像後端を裁断し（Ｓ５９）、記録紙ＰＰを排出する。
【００６４】
この実施形態に係るカラーのサーマルプリンタ１０によれば、各色の印刷について低速印刷ライン及び速度変更可能ラインが設定され、各色において、画像の高濃度部分の再現性を向上できるとともに、画像ムラを抑制できる。
【００６５】
なお、この実施形態に係るカラーのサーマルプリンタ１０は、上述した特徴以外は第１実施形態に係るサーマルプリンタ１０と同様に構成されるが、第２、第３及び第４の実施形態の各特徴と組み合わせることもできる。
【００６６】
［第６実施形態］
この実施形態に係るカラーのサーマルプリンタ１０では、イエローＹ、マゼンタＭ、及びシアンＣの各色について、図１３に示す処理が行われ、低速印刷ライン及び速度変更可能ラインが設定される。
【００６７】
制御部２０は、図６に示すＳ２７及びＳ２８の処理に代えてＳ６７及びＳ６８の処理を行い、その他のＳ６１〜Ｓ６６及びＳ６９については、Ｓ２１〜Ｓ２６及びＳ２９と同様に処理する。
【００６８】
図１３に示すように、制御部２０は、Ｓ６４において、Ｎ番目のラインに含まれる画素の中に第１基準値を超える画素が無い場合、Ｓ６７及びＳ６８において、注目画素の注目色の濃度の、注目色以外の色のそれぞれの濃度に対する比率の中に、所定の閾値Ｋ以下のものが少なくとも１つある画素のみで構成されるラインを、注目色における速度変更可能ラインに設定する。一例として、閾値Ｋは、０．１である。
【００６９】
注目色以外のある色の画素値をα１、注目色以外の別の色の画素値をα２、注目色の画素値をβとすると、次の関係式が成立する画素のみで構成されるラインは、注目色における速度変更可能ラインに設定される。
【００７０】
Ｍｉｎ（β÷α１、β÷α２、……）  ≦  Ｋ
例えば、ある注目画素のイエローの画素値のマゼンタの画素値に対する比率、又はイエローの画素値のシアンの画素値に対する比率のいずれかが、閾値Ｋ以下である画素のみを含むラインは、イエローにおける速度変更可能ラインに設定される。マゼンタ及びシアンについても、同様にして速度変更可能ラインが設定される。一方、ある注目画素のイエローの画素値のマゼンタの画素値に対する比率、及びイエローの画素値のシアンの画素値に対する比率の両方が、閾値Ｋを超える画素を１つでも含むラインは、イエローにおける速度変更可能ラインには設定されない。
【００７１】
ある画素において注目色の濃度の注目色以外の色の濃度に対する比率が、閾値Ｋ以下のものが１つでもある場合は、速度変更箇所において注目色に画像ムラが生じた場合でも、比率が閾値Ｋ以下である色、即ち注目色に対してかなり高濃度な色が注目色に重ねられることで、注目色で生じた画像ムラを目立たなくすることができる。例えば、イエローの画素値２０、マゼンタの画素値２５、シアンの画素値２５０であれば、マゼンタとイエローとの濃度差は小さいが、シアンはイエローに対してかなり高濃度なので、イエローに画像ムラが生じた場合でも、シアンが重ねられることで、イエローの画像ムラを目立たなくすることができる。
【００７２】
［第７実施形態］
閾値Ｋは、注目色に応じて互いに異なるように構成することもできる。各色の目立ちやすさ等に応じて閾値を設定することができる。例えば、目立ちにくい色では閾値を大きくし、目立ちやすい色では閾値を小さくすることで、画像ムラをより抑制できる。
【００７３】
［第８実施形態］
制御部２０は、画素値に基づいて低速印刷ラインを設定することに代えて、文字又はベクターデータ画像を含むラインを、低速印刷ラインに設定するように構成することもできる。ベクターデータ画像は、細線を含む。なお、例えば、速度変更可能ラインは、文字又はベクターデータ画像を含まないラインの中から、画素値に基づいて、第１実施形態、第６実施形態、又は第７実施形態のようにして設定される。
【００７４】
文字及び細線などをより高濃度で印刷可能にすることで、文字及び細線などの画像の再現性を向上できる。
【００７５】
なお、（１）イエロー、マゼンタ、及びシアンという色毎に最大画素値を取得し、最大画素値が第１基準値を超える色については印刷時の記録紙ＰＰの搬送速度を低速に設定するというように、インクリボンＲ２の各色の領域毎に印刷時の記録紙ＰＰの搬送速度を変更することや、（２）色を考慮せず、画像データ毎に最大画素値を取得し、最大画素値が第１基準値を超える画像データについては、印刷時の記録紙ＰＰの搬送速度を低速に設定するというように、画像データ毎に印刷時の記録紙ＰＰの搬送速度を設定することも考えられる。（３）さらに、インクリボンＲ１，Ｒ２の１個のインクの領域で複数の画像データの印刷をする場合に、少なくとも１個の画像データについてシャープネスを強調する印刷条件の設定がなされた場合は、同じ領域で印刷される全ての画像データについて、記録紙ＰＰの搬送速度を低速に設定することも考えられる。低速で印刷することで、より高濃度となり、エッジや微細な形状をより鮮明に印刷できる。
【００７６】
しかし、上述のように、画像データに基づいて、主走査方向Ｄ３のライン毎に低速印刷ラインを設定することで、より小さい領域毎に印刷速度設定できるので、高濃度部分の再現性の向上に加えて、全体的な印刷時間の短縮化、及びサーマルヘッド１１を高温にする時間を短縮することによる省エネをも図ることができる。
【００７７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００７８】
１０  サーマルプリンタ
１１  サーマルヘッド
２０  制御部
２１，２１Ａ，２１Ｂ  低速印刷領域
２２，２２Ａ，２２Ｂ，２２Ｃ  速度変更可能領域
Ｒ１，Ｒ２  インクリボン
ＰＰ  記録紙（印刷媒体）
Ｄ１  順方向（印刷時の印刷媒体の搬送方向）
Ｄ２  逆方向
Ｄ３  主走査方向
【図１】
2018008376.tif 000003
【図２】
2018008376.tif 000004
【図３】
2018008376.tif 000005
【図４】
2018008376.tif 000006
【図５】
2018008376.tif 000007
【図６】
2018008376.tif 000008
【図７】
2018008376.tif 000009
【図８】
2018008376.tif 000010
【図９】
2018008376.tif 000011
【図１０】
2018008376.tif 000012
【図１１】
2018008376.tif 000013
【図１２】
2018008376.tif 000014
【図１３】
2018008376.tif 000015